(57)【要約】      （修正有）【課題】フラットパネルディスプレイの修理等を行う場合に、作業性が良好でスムーズな修理を可能とする支持スタンドを提供する。【解決手段】床面に沿って配置される下部フレーム４と、この下部フレーム４にヒンジ部６を介して起伏回動可能に連結され、フラットパネルディスプレイ２０を立て掛けた状態で支持する上部フレーム５と、下部フレーム４に対し上部フレーム５を任意の角度で固定する固定手段１０と、を有するスタンド装置２及び３を左右に一対備えて支持スタンド１を構成する。下部フレーム４における床面との接触面と、上部フレーム５におけるパネル２０の支持面とにクッション材８，９を貼り付けた構成とする。一対のスタンド装置２と３の間を連結部材１４によって任意の幅で固定できる構造とする。さらにこの構成において、連結部材１４をスタンド装置２，３から取り外すと共に、スタンド装置２，３を折り畳んで持ち運びができる構造とする。【選択図】  図２
2005215193.tif 000002
【特許請求の範囲】
【請求項１】
床面に沿って配置される下部フレームと、
この下部フレームにヒンジ部を介して起伏回動可能に連結され、フラットパネルディスプレイを立て掛けた状態で支持する上部フレームと、
上記下部フレームに対し上記上部フレームを任意の角度で固定する固定手段と、
を有するスタンド装置を左右に一対備えて構成される、
フラットパネルディスプレイ用の支持スタンド。
【請求項２】
上記下部フレームにおける上記床面との接触面にクッション材を貼り付けて構成される、
請求項１に記載のフラットパネルディスプレイ用の支持スタンド。
【請求項３】
上記上部フレームにおける上記フラットパネルディスプレイの支持面にクッション材を貼り付けて構成される、
請求項１に記載のフラットパネルディスプレイ用の支持スタンド。
【請求項４】
上記一対のスタンド装置の間を連結部材によって任意の幅で固定できる構造とした、
請求項１に記載のフラットパネルディスプレイ用の支持スタンド。
【請求項５】
上記連結部材を上記スタンド装置から取り外すと共に、上記スタンド装置を折り畳んで持ち運びができる構造とした、
請求項４に記載のフラットパネルディスプレイ用の支持スタンド。
【請求項６】
上記スタンド装置から取り外した上記連結部材を上記スタンド装置の内部に収納可能な構造とした、
請求項５に記載のフラットパネルディスプレイ用の支持スタンド。
【発明の詳細な説明】
【技術分野】
【０００１】
本発明は、フラットパネルディスプレイの修理等に用いるための支持スタンドに関する。
【背景技術】
【０００２】
従来、フラットパネルディスプレイの修理等のサービスを顧客先で行う場合、画面を下にしてフラットパネルディスプレイを床面に置き、その状態でバックカバーを取り外して基板の修理等を行うようにしていた。
【０００３】
ところがこの場合、フラットパネルディスプレイを直接床面に置くために大きな場所を必要とし、また顧客先の床面を傷付けるおそれがあった。さらにフラットパネルディスプレイを直接床面に置いた状態では修理作業がしにくく、作業性が非常に悪いという問題もあった。
【０００４】
この問題を解消するために従来は、例えば下記の特許文献１に開示されるような支持スタンドにフラットパネルディスプレイを載せて修理を行うことが検討されていた。
【特許文献１】特開２００１−３１４２５９号公報
【発明の開示】
【発明が解決しようとする課題】
【０００５】
しかしながら、従来フラットパネルディスプレイの修理等を目的とした支持スタンドは実用化されておらず、上記特許文献１にしてもフラットパネルディスプレイの支持を想定したものではないため、これをフラットパネルディスプレイの修理に適用することは難しく、依然として上記の問題は解消されるに至っていない。
【０００６】
本発明は斯かる点に鑑みてなされたもので、フラットパネルディスプレイの修理等に用いて好適な支持スタンドを提供し、上記の問題点を解消することを目的としている。
【課題を解決するための手段】
【０００７】
上記の目的を達成するものとして、本発明によるフラットパネルディスプレイ用の支持スタンドは、
床面に沿って配置される下部フレームと、
この下部フレームにヒンジ部を介して起伏回動可能に連結され、フラットパネルディスプレイを立て掛けた状態で支持する上部フレームと、
下部フレームに対し上部フレームを任意の角度で固定する固定手段と、
を有するスタンド装置を左右に一対備えて構成されるものである。
【０００８】
また本発明の支持スタンドは、上記構成において、下部フレームにおける床面との接触面にクッション材を貼り付けた構成とする。さらに、上部フレームにおけるフラットパネルディスプレイの支持面にもクッション材を貼り付けた構成とする。
【０００９】
また本発明の支持スタンドは、上記構成において、一対のスタンド装置の間を連結部材によって任意の幅で固定できる構造とする。さらにこの構成において、連結部材をスタンド装置から取り外すと共に、スタンド装置を折り畳んで持ち運びができる構造とし、この場合、スタンド装置から取り外した連結部材をスタンド装置の内部に収納可能な構造とする。
【発明の効果】
【００１０】
上記の如く構成される本発明のフラットパネルディスプレイ用の支持スタンドは、フラットパネルディスプレイを立て掛けた状態で支持することにより、大きな場所を必要とすることなくフラットパネルディスプレイの修理等を行うことができる。また、従来のようにフラットパネルディスプレイを直接床面に置いて修理を行う場合に比べて、作業性が格段に良好となり、スムーズな修理が可能となる。
さらに本発明の支持スタンドは、左右一対のスタンド装置の間が開放されているため、フラットパネルディスプレイを裏返しに支持した状態で画面を見ながら修理を行うことができ、一段とスムーズな修理が可能となる。
【００１１】
また本発明の支持スタンドは、下部フレームにおける床面との接触面にクッション材を貼り付けたことにより、床面に傷を付けるおそれがない。さらに上部フレームにおけるフラットパネルディスプレイの支持面にクッション材を貼り付けたことにより、フラットパネルディスプレイが傷付くおそれもなくなる。
【００１２】
また本発明の支持スタンドは、一対のスタンド装置の間を連結部材によって任意の幅で固定できる構造としたことで、あらゆる大きさのフラットパネルディスプレイに対応することができる。
そして本発明では、連結部材をスタンド装置から取り外すと共に、スタンド装置を折り畳むことで、支持スタンドはコンパクトになって持ち運びが容易となる。さらにこの場合、スタンド装置から取り外した連結部材をスタンド装置の内部に収納可能としたことで、支持スタンドは一段とコンパクトになってさらに持ち運びが容易となる。
【発明を実施するための最良の形態】
【００１３】
以下、図面を参照しながら本発明の実施例について詳細に説明する。
図１は本発明によるフラットパネルディスプレイ用の支持スタンドの斜視図、図２はフラットパネルディスプレイを載せた状態の斜視図、図３は側面図、図４は折り畳み状態の斜視図である。
【００１４】
図１に示す如く、本例の支持スタンド１は、左右に一対のスタンド装置２と３を平行に配置して構成される。このスタンド装置２と３は同一の構成を有するもので、即ち夫々、床面に沿って配置される下部フレーム４と、この下部フレーム４にヒンジ部６を介して起伏回動可能に連結され、フラットパネルディスプレイ２０を立て掛けた状態で支持する上部フレーム５と、下部フレーム４に対し上部フレーム５を任意の角度で固定する固定手段としての自在ストップステー１０と、を有して構成されている。
【００１５】
下部フレーム４と上部フレーム５は何れもアルミニウム製の長い函状体によりなり、ここで上部フレーム５は下部フレーム４より長尺の寸法を有し、その下端部がヒンジ部６である蝶番を介して下部フレーム４の前端部に起伏回動可能に連結されている。上部フレーム５の前面下部には下置き台７が固着されており、図２に示す如くこの下置き台７にフラットパネルディスプレイ２０の下端部が支持されるようになっている。
【００１６】
また本例の支持スタンド１では、下部フレーム４における床面との接触面にクッション材８を貼り付けてあり、さらに、上部フレーム５におけるフラットパネルディスプレイ２０の支持面にもクッション材９を貼り付けてある。なお、ここでクッション材８，９は導電性を有するクッション材が用いられ、これによって静電気の発生を抑えるようにしている。
【００１７】
自在ストップステー１０は、ステンレス製の２本のステー１０ａと１０ｂを伸縮方向にスライド自在に組み合わせて構成され、これを任意の長さに伸縮調整してストッパー１１によってロックするものであり、その一端部を下部フレーム４に連結軸１２を介して回動可能に連結すると共に、他端部を上部フレーム５に連結軸１３を介して回動可能に連結してある。この構成により本例の支持スタンド１は、下部フレーム４に対し上部フレーム５が起伏回動されると、これに伴って自在ストップステー１０が伸縮し、下部フレーム４に対し上部フレーム５が任意の角度となったところでストッパー１１によって自在ストップステー１０をロックすることにより、上部フレーム５がその角度で固定されるようになっている。なお、この自在ストップステー１０はこれを２本並行させて配置し、それを一組として構成されている。
【００１８】
また本例の支持スタンド１は、左右一対のスタンド装置２と３の間を、連結部材である連結棒１４によって任意の幅で固定することができる構造となっている。
ここで連結棒１４は前後に２本が平行に配置されており、この２本の連結棒１４を下部フレーム４の側面部に形成された貫通穴１５に通して左右のスタンド装置２と３を連結する。
【００１９】
そしてこの状態で連結棒１４は、下部フレーム４に設けられたストッパー１６によって固定される。このストッパー１６は、レバー１７の操作によって連結棒に対するロック動作を行うもので、即ちこのレバー１７を押し下げるとストッパー１６が連結棒１４を押さえ付ける状態となってこれをロックし、レバー１７を引き上げるとストッパー１６が連結棒１４から離れてロックが解除される如く動作する。
【００２０】
このように構成される本例の支持スタンド１では、ストッパー１６による連結棒１４のロックを解除した状態で、左右のスタンド装置２と３間の幅を調整し、その後にストッパー１６で連結棒１４をロックすることにより、左右のスタンド装置２と３の間を任意の幅で固定することができる。
【００２１】
図２及び図３に、本例の支持スタンドの使用状態を示す。
即ち本例の支持スタンド１は、顧客先でフラットパネルディスプレイの修理等を行う場合に、フラットパネルディスプレイ２０を左右のスタンド装置２と３の下置き台７に載せて上部フレーム５に立て掛けるように支持するもので、ここでフラットパネルディスプレイ２０はその画面を後にした裏返し状態に支持され、この状態でバックカバーを取り外して内部の基板２１等の修理・交換などのサービスを行う。
【００２２】
このサービスにおいて本例の支持スタンド１は、フラットパネルディスプレイ２０を立て掛けた状態で支持することにより、大きな場所を必要とすることなく修理等を行うことができる。また、従来のようにフラットパネルディスプレイ２０を直接床面に置いて修理を行う場合に比べて、作業性が格段に良好となり、さらにフラットパネルディスプレイ２０の支持角度も調整できるため、スムーズな修理が可能となる。
さらに本例の支持スタンド１は、左右一対のスタンド装置２と３の間が開放されているため、フラットパネルディスプレイ２０を裏返しに支持した状態でも画面を見ながら修理を行うことができるので、一段とスムーズな修理が可能となる。
【００２３】
またこの支持スタンド１は、下部フレーム４における床面との接触面にクッション材８を貼り付けたことにより、床面に傷を付けるおそれがない。従って、顧客先で修理を行う場合、床面を保護するためのシートを持ち込む必要がない。
さらに上部フレーム５におけるフラットパネルディスプレイの支持面にクッション材９を貼り付けたことにより、フラットパネルディスプレイ２０が傷付くおそれもない。
【００２４】
またこの支持スタンド１は、一対のスタンド装置２と３の間を連結棒１４によって任意の幅で固定できる構造としたことにより、あらゆる大きさのフラットパネルディスプレイ２０を支持することができ、メーカーを問わず様々な種類のフラットパネルディスプレイに対応することができる。
【００２５】
図４は本例の支持スタンドを折り畳んだ状態を示す。
このように本例の支持スタンド１は、連結棒１４をスタンド装置２，３の下部フレーム４から取り外すと共に、スタンド装置２，３を夫々下部フレーム４と上部フレーム５が重なるように折り畳むことにより、コンパクトにまとめることができる。なお、ここで上部フレーム５には、下部フレーム４のストッパー１６に対する逃げ穴(図には表われていない)が形成されており、これによってストッパー１６が邪魔となることなくスタンド装置２，３を折り畳むことができるようになっている。
【００２６】
そしてこの図４に示すようにスタンド装置２と３を折り畳み、これを向かい合わせた状態で束ねることにより、容易に持ち運びが可能となる。この場合、支持スタンド１は、ベルト等によってスタンド装置２と３を束ねた状態で保持することが好ましい。
【００２７】
ここでさらに本例の支持スタンド１は、スタンド装置２，３から取り外した連結棒１４をスタンド装置２，３の内部に収納可能な構造となっている。即ちこの場合、下部フレーム４は後端面が開放された函状体によりなり、その後端面の開放部から連結棒１４を下部フレーム４内に挿入して収納できるようになっている。
【００２８】
このように本例の支持スタンド１では、スタンド装置２，３から取り外した連結棒１４をスタンド装置２，３の内部に収納可能としたことにより、支持スタンド１は一段とコンパクトになってさらに持ち運びが容易となる。
【００２９】
そして以上の如く構成される本例の支持スタンド１は、簡単な機構であるため壊れにくく、フラットパネルディスプレイの修理等のサービスに長期間にわたって安定して使用することができるものである。
【００３０】
以上、本発明の実施例について説明したが、本発明はこの実施例に限定されることなく、他にも様々な実施形態を採ることが可能である。
例えば、上記実施例では下部フレーム４に対し上部フレーム５を固定する固定手段として自在ストップステー１０を用い、上部フレーム５を任意の角度に調整可能としていたが、これを固定長さのステーとし、上部フレーム５の角度を固定した構成としてもよい。また固定長さのステーを使用し、下部フレーム４または上部フレーム５に対する取り付け位置を可変して上部フレーム５の角度を調整できる構成とすることも可能である。
【００３１】
また、上記実施例では連結部材である連結棒１４をストッパー１６によってスタンド装置２，３に固定するようにしているが、構成を簡略化するためにストッパー１６を廃止し、連結棒１４を固定しない構造としてもよい。さらに連結棒１４は、左右のスタンド装置２と３が傾かないように下部フレームの貫通穴１５を精度よく加工できれば、前後に２本も設ける必要がなく、１本のみとすることも可能である。
【００３２】
また上記実施例では、支持スタンドを持ち運ぶ際に、連結棒１４を下部フレーム４に収納する構造としてあるが、これを上部フレーム５に収納するようにしてもよい。
【図面の簡単な説明】
【００３３】
【図１】本発明によるフラットパネルディスプレイ用の支持スタンドの斜視図である。
【図２】同、フラットパネルディスプレイを載せた状態の斜視図である。
【図３】同、側面図である。
【図４】同、折り畳み状態の斜視図である。
【符号の説明】
【００３４】
１…支持スタンド
２，３…スタンド装置
４…下部フレーム
５…上部フレーム
６…ヒンジ部
８…クッション材
９…クッション材
１０…自在ストップステー(固定手段)
１４…連結棒(連結部材)
１６…ストッパー
２０…フラットパネルディスプレイ
【図１】
2005215193.tif 000003
【図２】
2005215193.tif 000004
【図３】
2005215193.tif 000005
【図４】
2005215193.tif 000006